(57)【要約】【課題】  特別の個人キーや大容量の保存用メモリを必要とすることなく、個人別の処理条件を容易に設定できる。【解決手段】  個人別の設定処理条件を記憶したＵＳＢメモリ１７を、ＵＳＢＩ／Ｆ１３に接続し（ステップＳＴ１１）、装置の処理条件保存メモリ５ａに保存してある現在の機器設定処理条件を待避メモリ５ｂに待避させ（ステップＳＴ１２）、ＵＳＢメモリ１７内の個人別の設定処理条件を処理条件保存メモリ５ａにロードする（ステップＳＴ１３）。ＵＳＢメモリ１７が抜かれたことを確認したら（ステップＳＴ１４）、待避メモリ５ｂに待避させた機器設定処理条件を元の処理条件保存メモリ５ａに戻す（ステップＳＴ１５）。【選択図】      図４
2005150875.tif 000002
【特許請求の範囲】
【請求項１】
少なくともコピー機能と、及びもしくはファクシミリ機能とを備え、コピー処理、ファクシミリ処理を実行する際の所要の処理条件を保存する処理条件保存手段を備える画像処理装置において、
ＵＳＢインターフェースと、
ユーザ固有の処理条件を格納したＵＳＢメモリと、
このＵＳＢメモリがＵＳＢインターフェースに接続された際に、固有の処理条件を、前記処理条件保存手段に保存されている処理条件に置換し、この固有の処理条件を用いて処理を実行する制御手段と、
を備えることを特徴とする画像処理装置。
【発明の詳細な説明】
【技術分野】
【０００１】
この発明は、コピー機、ファクシミリ装置、コピー機能・ファクシミリ機能等の多機能を有する複合機、プリンタ装置等の画像処理装置に関する。
【背景技術】
【０００２】
ファクシミリ装置等の画像処理装置には、個人毎に処理条件を設定記憶するファイルを設け、このファイルに予め個人固有の処理条件を登録しておき、使用の際に操作部よりキー操作による個人指定入力を行うことにより、固有の処理条件を読み出し、この処理条件にしたがって、目的とするコピー処理、あるいは通信処理を実行するものがある。
【０００３】
このような画像処理装置に類するものとして、オペレータがＩＤカードを所持し、装置に近づくと、装置の通信手段によってＩＤカードのコードが読み取られ、このＩＤカードにより個人設定ファイルに記憶される設定モード（処理条件）を読み出し、この設定モードによって処理を実行する技術が開示されている（例えば、特許文献１参照）。
【特許文献１】特開２０００−３２１９３８号公報
【発明の開示】
【発明が解決しようとする課題】
【０００４】
上記した従来の画像処理装置においては、個人毎のキーを操作することにより、各人固有の設定処理条件で、コピーなどの処理を実行できるが、個人別のキーを操作部に設けると、設け得るキーの数に制限があり、且つ多くのキーを配置すると、その分どうしても操作部が大きくなり、装置全体も大型化する。また、個人別の処理条件を装置に保存する場合、登録する人数が多くなると、保存用のメモリが大容量必要となる問題がある。
【０００５】
また、特許文献１に記載の技術のように、ＩＤカードを用いて個人入力する場合は、個人毎のキーを設けるに及ばないが、人数が多くなると、装置の保存用のメモリが大容量必要となる問題がある。
【０００６】
この発明は上記問題点に着目してなされたものであって、特別の個人キーや大容量の保存用メモリを必要とすることなく、個人別の画像処理条件で目的とする処理を実行できる画像処理装置を提供することを目的としている。
【課題を解決するための手段】
【０００７】
この発明の画像処理装置は、少なくともコピー機能と、及びもしくはファクシミリ機能とを備え、コピー処理、ファクシミリ処理を実行する際の所要の処理条件を保存する処理条件保存手段を備える画像処理装置において、ＵＳＢインターフェースと、ユーザ固有の処理条件を格納したＵＳＢメモリと、このＵＳＢメモリがＵＳＢインターフェースに接続された際に、固有の処理条件を、前記処理条件保存手段に保存されている処理条件に置換し、この固有の処理条件を用いて処理を実行する制御手段と、を備えている。
【発明の効果】
【０００８】
この発明によれば、ＵＳＢメモリをＵＳＢインターフェースに接続し、ＵＳＢメモリに格納されている個人別の処理条件を取り込み、この処理条件を用いて、目的とする処理を実行するので、個人別の所要の処理条件を基に、それぞれ目的とする処理を行うことができ、個人別のキーを必要とすることなく、また保存用のメモリ容量も大きくする必要がない。
【発明を実施するための最良の形態】
【０００９】
以下、実施の形態により、この発明を更に詳細に説明する。図１は、この発明の通信端末装置の一実施形態であるファクシミリ装置（複合機）の構成を示すブロック図である。
【００１０】
図１において、主制御部としてのＣＰＵ（中央処理装置）１は、当該装置を構成する各部を統括制御する機能を有する。
【００１１】
このＣＰＵ１には、ＮＣＵ（網制御回路：Network Control Unit）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Coder and Decoder ）１１、ＬＡＮ  Ｉ／Ｆ１２、ＵＳＢＩ／Ｆ１３がバス１４を介して接続されている。
【００１２】
ＮＣＵ２は、ＣＰＵ１により制御されて、通信回線である電話回線網（ＰＳＴＮ）１５との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１５に送出するために、デジタル信号である送信データをアナログの音声信号に変調する機能を有する。また、ＭＯＤＥＭ３は、電話回線網１５からＮＣＵ２を介して受信したアナログの音声信号をデジタル信号に復調する機能を有する。
【００１３】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。ＲＡＭ５には、処理条件保存メモリ５ａ及び待避メモリ５ｂを有する。処理条件保存メモリ５ａには、画像処理等の各機器設定条件が記憶されている。また、待避メモリ５ｂは、処理条件保存メモリ５ａに保存されている処理条件を一時的に待避させて記憶させるのに使用する。画像メモリ６は、画像読み取り部９で読み取った画像データを圧縮状態で記憶する。さらに、画像メモリ６は、パーソナルコンピュータ等の外部装置からネットワーク（ＬＡＮ）１５を介して受信した画像データ又は記録メディアから読み込んだ画像データを圧縮状態（ＪＰＥＧ等）で記憶する。
【００１４】
表示部７は、アイコン、キーボタンの表示や、データの送受信に必要なメッセージ内容、操作部８の操作により入力された電話番号やＦＡＸ番号等を表示する。この表示部７としては、ＬＣＤ（液晶表示装置）が用いられる。操作部８は、テンキー、モード切替キー、ワンタッチキー、短縮キー、登録キー、スタートキー、ストップキー等を有する。テンキーは、電話番号やＦＡＸ番号、その他の数値を入力するためのものである。モードキーは種々の動作モードを切り替え設定するのに使用される。ワンタッチキーは、相手先の電話番号やＦＡＸ番号をワンタッチで呼び出すためのものである。短縮キーは、このキーと２桁の数字キーの操作により、短縮ダイヤルが入力できる。登録キーは、相手先の電話番号やＦＡＸ番号をワンタッチ短縮登録するため、その他の登録時に使用される。スタートキーは、ファクシミリ通信やコピー動作の開始を指示するためのものである。ストップキーは、種々の処理動作を停止する場合に操作される。
【００１５】
画像読み取り部９は、ファクシミリ送信するとき又はコピーするときに、原稿の画像データを光学的に走査して読み取る。この画像読み取り部９は、カラー画像の読み取りも可能である。カラー読み取りの場合、画像読み取り部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。
【００１６】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、画像記録部１０により記録するために復号（デコード）する。ＬＡＮ  Ｉ／Ｆ１２は、ＬＡＮ（ローカルエリアネットワーク）１６を介して外部機器とのデータ授受を行うためのものであり、ＬＡＮ  Ｉ／Ｆ１２を介してＰＣ（パーソナルコンピュータ）等の外部機器が接続される。例えば、ＬＡＮ  Ｉ／Ｆ１２を介して、外部機器からコピーすべき画像データを受信することができる。
【００１７】
ＵＳＢＩ／Ｆ１３は、外部からＵＳＢメモリ１７を接続する。ＵＳＢＩ／Ｆ１３は、ＵＳＢプロトコルにしたがい、ＵＳＢメモリ１７に記憶されている個人の処理条件データを読み取る。このＵＳＢメモリ１７には、個人別に処理条件を記憶している。図２に、その一例を示す。ここでは、個人の処理条件として、Ａパターン、Ｂパターン、Ｃパターン、Ｄパターンが記憶されている。これら各パターンは、１パターン毎に個別ののＵＳＢメモリに記憶されており、個人が使用状況に応じて目的パターンのＵＳＢメモリを選択して、ＵＳＢＩ／Ｆ１３に接続しても良い。１個のＵＳＢメモリ１７に複数パターンの処理条件を記憶するものであっても良い。
【００１８】
ＵＳＢメモリ１７に、個人別の処理条件を記憶する場合は、ＵＳＢＩ／Ｆ付きのＰＣ（パソコン）又は複合機を用いる。このＵＳＢメモリ１７への個人別の処理条件の保存処理を、図３に示すフロー図を参照して説明する。先ず、ステップＳＴ１において、機器設定のカスタマイズ処理を実行する。つまり、処理条件を設定入力する。ここで一例として、例えば図２のＡパターンを入力するとすれば、送信先、画質、カラー／モノクロの識別、送信証、Ｆ−Ｃｏｄｅボックス、……を入力する。続いて、ステップＳＴ２へ移行する。ステップＳＴ２においては、オペレータがＵＳＢメモリ１７をＵＳＢＩ／Ｆに接続されたことを受け付け、確認する。
【００１９】
続いて、ステップＳＴ３へ移行する。ステップＳＴ３においては、機器設定された処理条件（例えば、図２のＡパターン）をＵＳＢメモリ１７に保存する。以上のようにして、個人別の各処理条件のセーブ（ｓａｖｅ）を終了する。
【００２０】
次に、このＵＳＢメモリ１７に保存された個人別の処理条件を実施形態複合機にロード（Ｌｏａｄ）する場合の処理動作を、図４に示すフロー図を参照して説明する。ステップＳＴ１１において、ＵＳＢメモリ１７がオペレータによってＵＳＢＩ／Ｆ１３に接続されるのに応じて、接続受け付け（確認）を行う。続いて、ステップＳＴ１２へ移行する。
【００２１】
ステップＳＴ１２においては、現在の機器設定、つまり処理条件保存メモリ５ａに記憶している機器処理条件を待避メモリ５ｂに待避する。次に、ステップＳＴ１３へ移行する。ステップＳＴ１３においては、ＵＳＢメモリ１７内の個人用の設定処理条件を読み出して、処理条件保存メモリ５ａにロードする。このロードにより、装置は、この処理条件保存メモリ５ａにロードされた個人用の処理条件に基づいて、別途処理を実行する。ステップＳＴ１３処理に続き、ステップＳＴ１４へ移行する。
【００２２】
ステップＳＴ１４においては、ＵＳＢＩ／Ｆ１３よりＵＳＢメモリ１７が抜かれたか否かを確認する。抜かれたことの検出結果が得られるまでは、このステップＳＴ１４にとどまり、ＵＳＢメモリ１７が抜かれるのを待機する。ＵＳＢメモリ１７が抜かれたことを確認すると、ステップＳＴ１５へ移行する。ステップＳＴ１５においては、待避した機器設定を元に戻す。つまり、待避メモリ５ｂに待避させていた機器設定処理条件を処理条件保存メモリ５ａに戻す。
【図面の簡単な説明】
【００２３】
【図１】この発明の一実施形態複合機の概略構成を示すブロック図である。
【図２】同複合機のＵＳＢＩ／Ｆに接続するＵＳＢメモリの記憶内容の一例を示す図である。
【図３】同ＵＳＢメモリへの処理条件をセーブする場合の処理を説明するフロー図である。
【図４】同ＵＳＢメモリの保存内容を複合機にロードする場合の処理を説明するフロー図である。
【符号の説明】
【００２４】
１          主制御部
２          ＮＣＵ
３          ＭＯＤＥＭ
４          ＲＯＭ
５          ＲＡＭ
５ａ        処理条件保存メモリ
５ｂ        待避メモリ
６          画像メモリ
７          表示部
８          操作部
９          画像読み取り部
１０        画像記録部
１１        ＣＯＤＥＣ
１２        ＬＡＮＩ／Ｆ
１３        ＵＳＢＩ／Ｆ
１４        バス
１５        公衆回線
１６        ＬＡＮ
１７        ＵＳＢメモリ
【図１】
2005150875.tif 000003
【図２】
2005150875.tif 000004
【図３】
2005150875.tif 000005
【図４】
2005150875.tif 000006